(57)【要約】【課題】直感的に分かり易く、忘れにくいタッチパターンを登録することができるとともに、タッチパターンによる機能呼び出しを簡便化することができるタッチパターン登録装置、タッチパターン登録方法および携帯端末装置を提供する。【解決手段】関連付けたい処理に対して、任意の言葉を携帯端末装置などのタッチパターン登録装置に音声入力する（Ｓ１１）。次に、入力された音声のリズムを解析し（Ｓ１２）、タッチパターンへ変換する（Ｓ１３）。そして、変換されたタッチパターンが登録済みのタッチパターンと同じかどうか調べる（Ｓ１４）。変換されたタッチパターンが登録済みのタッチパターンと同じ場合、タッチパターンの入力エリアを変更して異なるタッチパターンへ変換する（Ｓ１５）。次に、異なるタッチパターンへ変換されたタッチパターン、および登録済みのタッチパターンと異なるタッチパターンの登録処理を行なう（Ｓ１６）。【選択図】図５
2011254253.tif 000002
【特許請求の範囲】
【請求項１】
音声を入力する音声入力部と、
前記音声入力部で入力された音声から音声パターンを形成する音声パターン形成部と、
前記音声パターン形成部で形成された音声パターンをタッチパターンに変換するタッチパターン変換部と、
前記タッチパターン変換部で変換されたタッチパターンを登録する登録処理部と、
を備えるタッチパターン登録装置。
【請求項２】
請求項１記載のタッチパターン登録装置であって、
前記音声パターン形成部は、入力された音声における音節の長さまたは音節間隔に基づいて音声パターンを形成するタッチパターン登録装置。
【請求項３】
請求項１記載のタッチパターン登録装置であって、
前記音声パターンは、短音および長音を含み、
前記タッチパターンは、タップ操作およびスライド操作を含み、
前記タッチパターン変換部は、前記短音を前記タップ操作に変換し、前記長音を前記スライド操作に変換するタッチパターン登録装置。
【請求項４】
請求項１から３のいずれか１項記載のタッチパターン登録装置と、
前記登録処理部で登録したタッチパターンを出力する登録タッチパターン出力部と、
を備えるタッチパターン出力装置。
【請求項５】
請求項４記載のタッチパターン出力装置であって、
既に登録された第１のタッチパターンに対応する第１の音声と異なる第２の音声が前記音声入力部に入力され、前記第１のタッチパターンと前記第２の音声に対応する第２のタッチパターンが同じである場合、前記タッチパターン変換部は、前記第１のタッチパターンと前記第２のタッチパターンの間でユーザが入力する入力エリアを異ならせ、
前記登録タッチパターン出力部は、互いに異なる入力エリアを含む前記第１のタッチパターンおよび前記第２のタッチパターンを出力するタッチパターン出力装置。
【請求項６】
請求項４記載のタッチパターン登録装置であって、
既に登録された第１のタッチパターンに対応する第１の音声と異なる第２の音声が前記音声入力部に入力され、前記第１のタッチパターンと前記第２の音声に対応する第２のタッチパターンが同じである場合、前記タッチパターン変換部は、前記第１の音声および前記第２の音声に対応する第１の機能および第２の機能を選択可能に表示した選択可能表示を生成し、登録し、
前記登録タッチパターン出力部は、前記選択可能表示を出力するタッチパターン出力装置。
【請求項７】
請求項５または６記載のタッチパターン出力装置を含む携帯端末装置。
【請求項８】
音声を入力するステップと、
入力された音声から音声パターンを形成するステップと、
形成された音声パターンをタッチパターンに変換するステップと、
変換されたタッチパターンを登録するステップと、
を有するタッチパターン登録方法。
【請求項９】
コンピュータに、
音声を入力するステップと、
入力された音声から音声パターンを形成するステップと、
形成された音声パターンをタッチパターンに変換するステップと、
変換されたタッチパターンを登録するステップと、
を実行させるためのタッチパターン登録プログラム。
【発明の詳細な説明】
【技術分野】
【０００１】
本発明は、音声パターンとタッチパターンを関連付けることにより、タッチパターンによる機能呼び出しを簡便化することができる技術に関する。
【背景技術】
【０００２】
例えば特許文献１には、ユーザが登録した任意のジェスチャイメージ（タッチパターン）に１個以上の複数の機能や単語を登録できるようにすることが記載されている。すなわち、そこに記載された文書作成装置は、任意のタッチパターンに対し、処理・文字を登録でき、タッチパターンが入力された場合、処理の実行、文字の表示を行なう。
【先行技術文献】
【特許文献】
【０００３】
【特許文献１】特開平８−１３７６１１号公報
【発明の概要】
【発明が解決しようとする課題】
【０００４】
上記従来技術は、タッチ対応装置において特定のタッチパターンを入力し、任意の処理実行するというものであり、機能をタッチ入力し一発で立ち上げたい、もしくは処理をタッチ入力し一発で実行したい場合等に有効である。
【０００５】
なお、上記従来技術ではタッチパターンの登録手段には言及していないが、通常、予めその処理に対してタッチパターンが用意されているか、もしくは登録したい機能に対して任意のタッチパターンを入力し登録することが一般的と考えられる。
【０００６】
しかしながら、該当するタッチパターンをユーザが忘れた場合、割り当てられた処理を実行することが出来ない。
【０００７】
本発明は、上記従来の事情に鑑みてなされたものであって、直感的に分かり易く、忘れにくいタッチパターンを登録することができるとともに、タッチパターンによる機能呼び出しを簡便化することができる技術を提供する。
【課題を解決するための手段】
【０００８】
本発明のタッチパターン登録装置は、音声を入力する音声入力部と、前記音声入力部で入力された音声から音声パターンを形成する音声パターン形成部と、前記音声パターン形成部で形成された音声パターンをタッチパターンに変換するタッチパターン変換部と、前記タッチパターン変換部で変換されたタッチパターンを登録する登録処理部とを備える。
【０００９】
これによれば、音声でまず機能を入力し、それを対応したタッチパターンに変換することで、次からの立ち上げが容易になる。また、直感的に分かり易く、忘れにくいタッチパターンを登録できるようになる。
【００１０】
また、本発明のタッチパターン登録装置において、前記音声パターンは、入力された音声における音節の長さまたは音節間隔に基づいて形成される。
【００１１】
これによれば、機能を表わす言葉の音節の長さまたは音節間隔に基づいてタッチパターンが生成されるので、直感的に分かり易く、忘れにくいタッチパターンを登録できるようになる。
【００１２】
また、本発明のタッチパターン登録装置において、前記音声パターンは、短音および長音を含み、前記タッチパターンは、タップ操作およびスライド操作を含み、前記タッチパターン変換部は、前記短音を前記タップ操作に変換し、前記長音を前記スライド操作に変換する。
【００１３】
これによれば、機能を表わす言葉をそのままタッチパターンに変換できるので、直感的に分かり易く、忘れにくいタッチパターンを登録することができる。
【００１４】
また、本発明のタッチパターン出力装置は、前記タッチパターン登録装置と、前記登録処理部で登録したタッチパターンを出力する登録タッチパターン出力部とを備える。
【００１５】
これによれば、登録したタッチパターンを出力する登録タッチパターン出力部を備えるので、登録したタッチパターンを容易に確認することができる。
【００１６】
また、本発明のタッチパターン出力装置において、既に登録された第１のタッチパターンに対応する第１の音声と異なる第２の音声が前記音声入力部に入力され、前記第１のタッチパターンと前記第２の音声に対応する第２のタッチパターンが同じである場合、前記タッチパターン変換部は、前記第１のタッチパターンと前記第２のタッチパターンの間でユーザが入力する入力エリアを異ならせ、前記登録タッチパターン出力部は、互いに異なる入力エリアを含む前記第１のタッチパターンおよび前記第２のタッチパターンを出力する。
【００１７】
これによれば、音声パターンが同じリズムであっても、タッチする箇所を異なる位置とすることで、変換可能なタッチパターンを増やす事ができる。
【００１８】
また、本発明のタッチパターン出力装置において、既に登録された第１のタッチパターンに対応する第１の音声と異なる第２の音声が前記音声入力部に入力され、前記第１のタッチパターンと前記第２の音声に対応する第２のタッチパターンが同じである場合、前記タッチパターン変換部は、前記第１の音声および前記第２の音声に対応する第１の機能および第２の機能を選択可能に表示した選択可能表示を生成し、登録し、前記登録タッチパターン出力部は、前記選択可能表示を出力する。
【００１９】
これによれば、音声パターンが同じリズムであっても、ユーザインターフェースにおいて異なる機能を選択でき、タッチ箇所を覚えなくても機能選択／実行が可能になる。
【００２０】
また、本発明は、前記タッチパターン出力装置を含む携帯端末装置である。
【００２１】
これによれば、直感的で分かり易く、忘れにくいタッチパターンを登録し、携帯端末装置の操作性を向上させることができる。
【００２２】
また、本発明のタッチパターン登録方法は、音声を入力するステップと、入力された音声から音声パターンを形成するステップと、形成された音声パターンをタッチパターンに変換するステップと、変換されたタッチパターンを登録するステップとを有する。また、これら各ステップをコンピュータに実行させるためのタッチパターン登録プログラムも本発明に含まれる。
【００２３】
これによれば、音声でまず機能を入力し、それを対応したタッチパターンに変換することで、次からの立ち上げが容易になる。また、直感的に分かり易く、忘れにくいタッチパターンを登録できるようになる。
【００２４】
更に本発明は、上記タッチパターン出力装置に対応したタッチパターン出力方法、タッチパターン出力プログラムをも含む。
【発明の効果】
【００２５】
以上説明したように、本発明にかかるタッチパターン登録装置、タッチパターン登録方法および携帯端末装置によれば、直感的に分かり易く、忘れにくいタッチパターンを登録することができるとともに、タッチパターンによる機能呼び出しを簡便化することができる。
【図面の簡単な説明】
【００２６】
【図１】本発明の実施形態にかかるタッチパターン登録装置の機能を説明するためのイメージ図
【図２】本発明の実施形態にかかるタッチパターン登録装置において音声からタッチパターンへの変換例
【図３】本発明の実施形態において同じリズムのタッチパターンを異なるタッチ箇所へ変換する例
【図４】本発明の実施形態において同じリズムのタッチパターンに複数の機能が登録されている時のユーザインターフェース（ＵＩ）イメージ
【図５】本発明の実施形態にかかるタッチパターン登録装置において音声入力によりタッチパターンを登録する際のフローチャート
【図６】本発明の実施形態にかかるタッチパターン登録装置の概略構成を説明するための図
【発明を実施するための形態】
【００２７】
本発明の実施形態にかかるタッチパターン登録装置は、タッチパターンを登録する際に、音声をタッチパターン登録装置へ入力する。タッチパターン登録装置は、入力された音声を解析しリズム化する。そのリズムをタッチパターンに変換する。さらに本発明の実施形態にかかるタッチパターン出力装置は、当該タッチパターンを出力する。
【００２８】
図１は、本発明の実施形態にかかるタッチパターン登録装置およびタッチパターン出力装置の機能を説明するためのイメージ図である。ここで図１（ａ）は、タッチパターンの登録時の処理を表わす。すなわち、（１）ユーザが関連付けたい処理に対して、任意の言葉を携帯端末装置などのタッチパターン登録装置に音声入力する。例えばメール機能を登録したい場合、「メイル」と音声入力する。
【００２９】
（２）音声入力後、携帯端末装置内で、音声リズムからタッチパターンに自動変換が行われる。音声パターンをタッチパターンに変換するアルゴリズムは、音節間隔、音節の長さ、短音、長音、その他を抽出する周知の技術で可能である。
【００３０】
（３）音声をタッチパターンへ変換した後、変換されたタッチパターンをユーザに通知する。この場合、通知手段１として、液晶表示装置（ＬＣＤ）画面に言葉（もしくは音符）で表現する。例えば「メイル」は３つの音節の間隔が等しいので、等間隔のタッチパターンを通知するために、ＬＣＤ画面に「トン、トン、トン」と片仮名で表示する。
【００３１】
または、通知手段２としてバイブレータにより、例えば「ブー、ブー、ブー」のように等間隔の振動でタッチパターンを通知してもよい。さらに、通知手段３として、発光ダイオード（ＬＥＤ）の光により、例えば、「ピカ、ピカ、ピカ」と等間隔の発光でタッチパターンを通知してもよい。
【００３２】
図１（ｂ）は、タッチパターンの登録後の操作を表わす。音声によりタッチパターンが登録されると、登録したタッチパターンをタッチ入力することでそのタッチパターンに対応する機能が一発で立ち上がる。すなわち、指先などで「トン、トン、トン」と等間隔のタッチ入力を行なうとメール機能が立ち上がる。
【００３３】
このように本実施形態にかかるタッチパターン登録装置は、タッチパターンを登録する際に、音声リズムをタッチパターンに変換し、そのタッチパターンを選択された機能に割り当てるので、直感的に分かり易く、忘れにくいタッチパターンを登録できるようになる。
【００３４】
図２は、本発明の実施形態にかかるタッチパターン登録装置において、音声からタッチパターンへの変換例を示す。音声入力された言葉の音節を抽出することにより言葉をリズム化することができる。例（１）は、音声入力された言葉が「めいる」の場合である。この場合、「め」「い」「る」は短音であり、音節間隔が等しいのでリズムが等間隔になる。したがって、等間隔のタッチパターン、本例では３回のタップ操作に変換される。
【００３５】
例（２）は、音声入力された言葉が「すけじゅーる」の場合である。この場合、リズム化された「じゅー」が長音であり、「す」「け」「る」が短音なので、それに対応する間隔のタッチパターンに変換される。本例では、「す」「け」「る」の部分が短音のタップ操作に、「じゅー」の部分が長音のスライド操作に変換される。
【００３６】
このように、機能を表わす言葉をそのままタッチパターンに変換できるので、直感的に分かり易く、忘れにくいタッチパターンを登録することができる。
【００３７】
また、本発明の実施形態にかかるタッチパターン登録装置およびタッチパターン出力装置では、同じリズムのタッチパターンが登録済みであった場合、タッチ箇所を異なる位置とすることで違うタッチパターンを生成する。
【００３８】
図３は、同じリズムのタッチパターンを異なるタッチ箇所へ変換する例を示す。すなわち、タッチの入力タイミングが同じ場合は、入力エリアが異なるものに変換して出力する。
【００３９】
例えば、図３（ａ）に示すように、既に登録済みの「めいる」のタッチパターンが、「め」「い」「る」に対応して入力エリアの中央部分を３回タッチするパターンである場合、同じリズムの「でんわ」を新規に登録する場合、図３（ｂ）に示すように、「で」「ん」に対応して中央部分を２回タッチし、「わ」に対応して右上部分を１回タッチするタッチパターンに変換し、登録する。なお、タッチ箇所の通知（出力）は、ＬＣＤの対応エリアをタッチする順番に光らせることで行なうことができる。
【００４０】
このように、同じリズム（例えば、「めいる」と「でんわ」）であっても、タッチする箇所を異なる位置とすることで、変換可能なタッチパターンを増やす事ができる。
【００４１】
また、本発明の実施形態にかかるタッチパターン登録装置およびタッチパターン出力装置では、同じリズムのタッチパターンが登録済みであった場合、同一タッチパターンに複数の機能を登録する事を可能とし、該当するタッチパターンが入力された時点で、登録されている複数の機能をリスト表示し、ユーザに選択させることもできる。
【００４２】
図４は、同じリズムのタッチパターンに複数の機能が登録されている時のユーザインターフェース（ＵＩ）イメージを示す。例えば等間隔の３回のタッチパターンに対して「めいる」と「でんわ」の二つの機能が登録されている場合、等間隔の３回のタッチパターンが入力された時点で、ＬＣＤであるユーザインターフェース（ＵＩ）に「メール」と「でんわ」を表示し、「このタッチパターンには下記が登録されています。タッチして選択してください。」と案内する。
【００４３】
これによれば、同じリズムで異なる（例えば、「めいる」と「でんわ」）であっても、タッチ箇所を覚えなくても機能選択／実行が可能になる。
【００４４】
また、本発明の実施形態にかかるタッチパターン登録装置において、タッチパターン登録は、登録専用の機能メニューを持つか、登録できる機能のサブメニューにタッチパターン登録機能メニューを設ける。専用メニューを持つことで、利便性を高めることができ、本メニューを選択すると、音声入力が促される。
【００４５】
図５は、本発明の実施形態にかかるタッチパターン登録装置およびタッチパターン出力装置において、音声入力によりタッチパターンを登録するとともに、登録されたタッチパターンを出力する際のフローチャートを示す。まず、関連付けたい処理に対して、任意の言葉を携帯端末装置などのタッチパターン登録装置に音声入力する（Ｓ１１）。
【００４６】
次に、入力された音声のリズムを解析し（Ｓ１２）、タッチパターンへ変換する（Ｓ１３）。そして、変換されたタッチパターンが登録済みのタッチパターンと同じかどうか調べる（Ｓ１４）。
【００４７】
変換されたタッチパターンが登録済みのタッチパターンと同じ場合（Ｓ１４のＹＥＳ）、例えば変換されたタッチパターンの入力エリアを変更して異なるタッチパターンへ変換する（Ｓ１５）。
【００４８】
次に、異なるタッチパターンへ変換されたタッチパターン、および登録済みのタッチパターンと異なるタッチパターン（Ｓ１４のＮＯ）の登録処理を行なう（Ｓ１６）。そして、ＬＣＤ画面へ表示し、またはバイブレータによる振動あるいはＬＥＤによる発光で登録したタッチパターンをユーザに通知する（Ｓ１７）。
【００４９】
図６は、本発明の実施形態にかかるタッチパターン登録装置の概略構成を説明するための図である。登録用ユーザインターフェース（ＵＩ）１１は、音声入力によりタッチパターンを登録する場合の操作を案内するユーザインターフェースである。
【００５０】
音声入力部１２はマイクを含み、ユーザは、関連付けたい処理に対して任意の言葉を音声入力部１２に入力する。音声パターン形成部１３は、音声入力された言葉の音節間隔、音節の長さ、短音および長音の別などからリズムを解析し、音声パターンを形成する。
【００５１】
再生装置１４は、音楽再生が可能であり、例えば図示省略した記憶装置に多数の音楽を記憶してある場合に、再生したい曲名を忘れてしまった場合でも、そのリズムをタッチ入力することにより、当該楽曲を音声として呼び出して再生することができる。
【００５２】
タッチパターン変換部１５は、形成された音声パターンから、例えば短音をタップ操作に対応させ、長音をスライド操作に対応させてタッチパターンに変換する。ここで、タップ操作はタッチ入力部を指で軽く叩く操作であり、スライド操作はタッチ入力部を指でスライドさせる操作である。
【００５３】
登録済みタッチパターン比較部１６は、変換されたタッチパターンが、後述するタッチパターン格納部１７に格納された登録済みのタッチパターンと同じかどうか調べる。変換されたタッチパターンが登録済みのタッチパターンと同じでない場合、後述する登録処理部１９がタッチパターンの登録処理を行う。一方、変換されたタッチパターンが登録済みのタッチパターンと同じである場合、種々の操作が行われる。例えば図３の例のように、  既に登録された第１のタッチパターンに対応する第１の音声である「めいる」と異なる第２の音声である「でんわ」が音声入力部１２に入力された場合を想定する。この場合、登録済みタッチパターン比較部１６は、「めいる」に対応する第１のタッチパターンと「でんわ」に対応する第２のタッチパターンが同じであると判定する。すると、タッチパターン変換部１５は、図３（ａ）、（ｂ）のように第１のタッチパターンと第２のタッチパターンの間でユーザが入力する入力エリアを異ならせる。そして、後述する登録タッチパターン出力部１８は、互いに異なる入力エリアを含む第１のタッチパターンおよび第２のタッチパターンを出力する。
【００５４】
タッチパターン格納部１７は、登録済みのタッチパターンを格納する。登録処理部１９は、タッチパターンの登録処理を行なう。ここで、タッチパターン変換部１５によって変換されたタッチパターンが登録済みのタッチパターンと同じである場合、上述した図３の例とは異なり、登録処理部１９は図４の処理を行うことができる。すなわち、登録処理部１９は、音声「めいる」および音声「でんわ」に対応する第１の機能であるメールおよび第２の機能である電話を選択可能に表示した選択可能表示（図４のリスト）を生成し、登録する。そして、登録タッチパターン出力部１８が、選択可能表示を出力する。
【００５５】
登録タッチパターン出力部１８は、変換されたタッチパターンをユーザに通知する。この場合、液晶表示装置（ＬＣＤ）画面に言葉（もしくは音符）で表現してもよく、バイブレータによる振動で通知してもよい。さらに、発光ダイオード（ＬＥＤ）による発光で通知してもよい。また、登録タッチパターン出力部１８は、上述したように、図３、図４のような表示も行う。
【００５６】
このように本実施形態のタッチパターン登録装置、タッチパターン登録方法、タッチパターン出力装置およびタッチパターン出力方法によれば、直感的に分かり易く、忘れにくいタッチパターンを登録することができるとともに、タッチパターンによる機能呼び出しを簡便化することができる。
【００５７】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【産業上の利用可能性】
【００５８】
本発明によれば、直感的に分かり易く、忘れにくいタッチパターンを登録することができるとともに、タッチパターンによる機能呼び出しを簡便化することができる。
【符号の説明】
【００５９】
１１  登録用ユーザインターフェース
１２  音声入力部
１３  音声パターン形成部
１４  再生装置
１５  タッチパターン変換部
１６  登録済みタッチパターン比較部
１７  タッチパターン格納部
１８  登録タッチパターン出力部
１９  登録処理部
【図１】
2011254253.tif 000003
【図２】
2011254253.tif 000004
【図３】
2011254253.tif 000005
【図４】
2011254253.tif 000006
【図５】
2011254253.tif 000007
【図６】
2011254253.tif 000008